(57)【要約】      （修正有）【課題】低温環境下においてもメンテナンス負荷の増加を招くことなく、精白米中への糠の混入や、搗精部への詰まりを防止することが出来る格納建屋付き自動運転精米装置およびその格納建屋を提供する。【解決手段】格納建屋付き自動運転精米装置１は、玄米を精白処理する搗精部を備えて投入金額に応じて自動運転する自動制御式精米機３と、この自動制御式精米機３を格納して屋外環境から機器稼動を保護する格納建屋２とから構成され、上記格納建屋２には、上記自動制御式精米機３の搗精部を所定温度範囲に保温する暖房機２７を設けたものである。【選択図】図１
2006223938.tif 000002
【特許請求の範囲】
【請求項１】
玄米を精白処理する搗精部を備えて投入金額に応じて自動運転する自動制御式精米機と、この自動制御式精米機を格納して屋外環境から機器稼動を保護する格納建屋とからなる格納建屋付き自動運転精米装置において、
上記格納建屋には、上記自動制御式精米機の搗精部を所定温度範囲内に保温する暖房機を設けたことを特徴とする格納建屋付き自動運転精米装置。
【請求項２】
前記暖房機は、前記自動制御式精米機の搗精部に面する高さ位置で床面から離して格納建屋の内壁面に配置したことを特徴とする請求項１記載の格納建屋付き自動運転精米装置。
【請求項３】
前記暖房機は、少なくとも、自動制御式精米機の精米停止時に稼動することを特徴とする請求項１記載の格納建屋付き自動運転精米装置。
【請求項４】
玄米を精白処理する搗精部を備えて投入金額に応じて自動運転する自動制御式精米機を格納して屋外環境から機器稼動を保護する自動運転精米装置の格納建屋において、上記自動制御式精米機の搗精部を所定温度範囲内に保温する暖房機を付設したことを特徴とする自動運転精米装置の格納建屋。
【発明の詳細な説明】
【技術分野】
【０００１】
本発明は、糠の粘着を抑えて質の高い精白処理サービスを可能とする屋外設置の格納建屋付き自動運転精米装置およびその格納建屋に関するものである。
【背景技術】
【０００２】
特許文献１に示すように、独立した屋根付きの格納建屋と、その内部に自動精米機その他の機器を配置して自動制御による精白処理サービスを可能とする格納建屋付き自動運転精米装置が知られている。
【０００３】
この自動運転精米装置の格納建屋は、利用者が精白対象の米を出し入れ操作するための客室と自動精米機等の機器を収容した機械室とが隔壁によって区分され、正面に客室の出入口を備える。この出入口から入った客室の中央位置にコイン投入口を含む精白処理指示部、一側部に玄米投入用の張込ホッパ、他側部に白米排出用の白米タンクが配置されている。機械室には、自動精米機のほかに、石抜機、糠タンク、昇降機、糠案内路等が配置される。
【０００４】
自動運転精米装置は、利用者が持ち込んだ玄米を張込ホッパから受けると、コインの投入に応じて精白処理を行い、処理後の精白米を白米タンクに貯留するとともに、自動精米機で分離された糠が送風機により糠案内路を送られて糠タンクに貯留される。このように構成された格納建屋付き自動運転精米装置により、利用者が持ち込んだ玄米が自動精米されて白米タンクから精白米を取出すことができる。
【０００５】
しかし、冬季等の低温環境下においては自動精米機が低温に曝されることから、搗精部で玄米から搗精分離された糠がその粘性により搗精部の出口および糠タンクに到る糠案内路等に付着して糠分離性が低下するという問題があり、精白米中への糠の混入や、搗精部の詰まりを招くので、これを防止するためのメンテナンス負荷の増加を避けることができなかった。
【特許文献１】特開平１０−１８０１２４号公報
【発明の開示】
【発明が解決しようとする課題】
【０００６】
解決しようとする問題点は、低温環境下においてもメンテナンス負荷の増加を招くことなく、精白米中への糠の混入や、搗精部の詰まりを防止することができる格納建屋付き自動運転精米装置およびその格納建屋を提供することにある。
【課題を解決するための手段】
【０００７】
請求項１に係る発明は、玄米を精白処理する搗精部を備えて投入金額に応じて自動運転する自動制御式精米機と、この自動制御式精米機を格納して屋外環境から機器稼動を保護する格納建屋とからなる格納建屋付き自動運転精米装置において、上記格納建屋には、上記自動制御式精米機の搗精部を所定温度範囲内に保温する暖房機を設けたことを特徴とする。
【０００８】
上記自動制御式精米機は、屋外環境下において格納建屋内で投入金額に応じて自動精白処理し、このとき、格納建屋に設けた暖房機が自動制御式精米機の搗精部を所定温度範囲内に保温することから、搗精部で分離された糠の温度低下が防止される。
【０００９】
請求項２に係る発明は、請求項１の構成において、前記暖房機は、前記自動制御式精米機の搗精部に面する高さ位置で床面から離して格納建屋の内壁面に配置したことを特徴とする。上記暖房機により、格納建屋の接地部および床下の昇温を抑えつつ、自動制御式精米機の搗精部の保温が確保される。
【００１０】
請求項３に係る発明は、請求項１の構成において、前記暖房機は、少なくとも、自動制御式精米機の精米停止時に稼動することを特徴とする。上記構成により、搗精部の稼動発熱を生かして効率良く保温することができる。
【００１１】
請求項４に係る発明は、玄米を精白処理する搗精部を備えて投入金額に応じて自動運転する自動制御式精米機を格納して屋外環境から機器稼動を保護する自動運転精米装置の格納建屋において、上記自動制御式精米機の搗精部を所定温度範囲内に保温する暖房機を付設したことを特徴とする。上記構成により、格納建屋の設置施工に伴い、自動精米機の運転に必要な暖房条件が充足される。
【発明の効果】
【００１２】
本発明は、以下の効果を奏する。
請求項１に係る発明の自動制御式精米機は、屋外環境下において格納建屋内で投入金額に応じて自動精白処理し、このとき、格納建屋に設けた暖房機は、自動制御式精米機の搗精部を所定温度範囲内に保温することから、搗精部で分離された糠の温度低下が回避される。したがって、糠が機器等に付着するを事態を防止できるので、冬季等の低温の屋外環境下においても、精白米への糠の混入を防止して、確実に精白処理することができる。
【００１３】
請求項２に係る発明の自動運転精米装置は、上記暖房機により、格納建屋の接地部および床下の昇温を抑えて動物や虫の温床化を招くことなく、自動制御式精米機の搗精部を効率良く保温することができる。
【００１４】
請求項３に係る発明の自動運転精米装置により、自動制御式精米機の運転による発熱を利用して最小限度の暖房機の稼動により、効率良く搗精部の稼動条件が確保される。
【００１５】
請求項４に係る発明の自動運転精米装置の格納建屋は、暖房機が一体に構成されていることから、暖房手段の付設による配置調節や取付け工事を要することなく、自動制御式精米機を格納設置するだけで保温による自動運転が可能となる。
【発明を実施するための最良の形態】
【００１６】
本発明の実施の形態について以下に図面に基づいて詳細に説明する。
格納建屋付き自動運転精米装置１は、その一構成例の平面図および側面図を、図１、図２にそれぞれ示すように、独立した屋根付きの格納建屋２と、その内部に自動制御式の自動精米機３その他の機器を配置して構成される。格納建屋２は、利用者が精白指示操作するための客室４と自動精米機３等の機器を収容した機械室５とを隔壁６によって区分して構成する。
【００１７】
客室４は、格納建屋２の正面位置に出入口４ｅを備え、この出入口から入った正面の隔壁６の中央位置にコイン投入口を含む精白操作部１１、一側部に玄米投入用の張込ホッパ１２、他側部に白米排出用の白米タンク１３を配置する。
【００１８】
機械室には、張込ホッパ１２から昇降機２１を介して玄米を受ける石抜機２２を自動精米機３に接続配置し、その下流に昇降機２３を介して自動制御式の研米用の仕上機２４を配置し、この仕上機２４から白米タンク１３に接続する。自動精米機３および仕上機２４は、それぞれ図示せぬ搗精部を備えて精白搗精、研米搗精を行い、それぞれから連通する糠案内路２５ａ，２５ｂを介して接続する糠分離部２６ａ，２６ｂを機械室後部に備える。
【００１９】
また、機械室には、冬季等における機器の温度低下を防止する保温手段を設ける。この保温手段は、自動精米機３および仕上機２４の搗精部で分離された糠を所定温度範囲内に保持することにより、糠の付着や詰まりを防止しつつ、糠案内路２５ａ，２５ｂを介して糠分離部２６ａ，２６ｂに送達するためのものであり、各種の態様の暖房機を適用することができる。また、暖房機の運転は、機器の設置環境および格納建屋の仕様により、搗精部の停止中に限定して保温するべく保温運転を行うことにより、搗精部の稼動による昇温を有効利用することができる。
【００２０】
暖房機の具体手な構成方法は、例えば、両搗精部に発熱手段を取付け、または、格納建屋２側に設置する。暖房機を格納建屋２側に構成する例としては、機械室の床面５ｆに床暖房を構成することにより、一般仕様の自動精米機３および仕上機２４を用いて、各機器の配置を確保しつつ、両搗精部を含む全機器を保温することができる。
【００２１】
また、隔壁６および左右の側壁５ａ，５ｂの内面に遠赤外線放射パネル２７…を取付け、または、遠赤外線放射パネル２７…による暖房内壁として壁面暖房を構成することにより、前記同様の作用効果を得ることができるほか、床下の昇温を抑えつつ両搗精部を保温するように、壁面暖房を床面５ｆから離して且つ、天井から離した所定高さ位置に配置することにより、格納建屋の接地部および床下の昇温を抑えることができるので獣虫の温床化を招くことなく、効率良く保温することができる。
【００２２】
上記構成の自動運転精米装置は、利用者が持ち込んだ玄米を張込ホッパから受けると、コインの投入に応じて精白処理を行い、処理後の精白米を白米タンクに貯留するとともに、自動精米機で分離された糠が送風機により糠案内路を送られて糠タンクに貯留される。このように構成された格納建屋付き自動運転精米装置により、利用者が持ち込んだ玄米を張込ホッパに投入することによりその指示に応じて自動精米および自動研米され、白米タンクから精白米を取出すことができる。
【００２３】
この場合において、自動精米機３および仕上機２４の搗精部が所定の温度に保持されていることから、低温環境下で直前の利用から時間が経過している状況においても、搗精に伴って分離された糠が低温に曝されることがないので、糠が機器に付着したり詰まりを生じる事態を防止できるので、冬季等の屋外設置の低温環境下においても、自動運転精米装置により確実に精白処理することができる。
【図面の簡単な説明】
【００２４】
【図１】格納建屋付き自動運転精米装置の構成例の平面図である。
【図２】格納建屋付き自動運転精米装置の構成例の側面図である。
【符号の説明】
【００２５】
１    自動運転精米装置
２    格納建屋
３    自動精米機（自動制御式精米機）
４    客室
５    機械室
５ａ，５ｂ    側壁
５ｆ    床面
６    隔壁
１２    張込ホッパ
１３    白米タンク
２４    仕上機
２５ａ，２５ｂ    糠案内路
２６ａ，２６ｂ    糠分離部
２７    暖房機（暖房手段）
【図１】
2006223938.tif 000003
【図２】
2006223938.tif 000004